(57)【要約】【課題】  粉塵等から確実に顔面を保護し、透光カバーの着脱が容易であって、透光カバーのみの交換で済み、構造が簡単な顔面保護具を提供することを課題とする。【解決手段】  ヘルメット或いは帽子に挟持することで装着される左右の挟持具３，３と、左右の挟持具３，３に着脱自在であって顔面を覆うための透光カバー４とからなる。左右の挟持具３，３にそれぞれカバー支持体６を回動自在に設ける一方、透光カバー４の両側にカバー支持体６，６に対して嵌め外し可能な被嵌入部材８，８を設ける。【選択図】          図２
2005081061.tif 000002
【特許請求の範囲】
【請求項１】
ヘルメット或いは帽子に挟持することで装着される左右の挟持具と、前記左右の挟持具に着脱自在であって顔面を覆うための透光カバーとからなる顔面保護具であって、前記左右の挟持具にそれぞれカバー支持体を回動自在に設ける一方、前記透光カバーの両側に前記カバー支持体に対して嵌め外し可能な被嵌入部材を設けたことを特徴とする顔面保護具。
【請求項２】
前記透光カバーは、幅方向の両側に対して中央部分が湾曲されてなると共に、前記中央部分の上端に、湾曲方向の内方に張り出した係止片が形成されていることを特徴とする請求項１に記載の顔面保護具。
【発明の詳細な説明】
【技術分野】
【０００１】
本発明は、粉塵、飛沫、虫、顔面保護具に関する。
【背景技術】
【０００２】
一般的に、塗装、研磨等の作業を行う際には、目を保護するために作業用眼鏡を掛けることが多いが、体温によって眼鏡が曇りやすく、視界が遮られて作業を継続することが困難になる。特に、粉塵等の有害物質を吸い込まないようにマスクを併用する場合は、眼鏡の曇りが著しく、１〜２分でほとんど見えなくなってしまう。また、曇らずに目を保護できるように、ガラスに代えて網を張った眼鏡が知られているが、細かい粉塵を遮断することができず、網と目との距離が狭いため、塗料等が飛び散った場合には編み目から進入して目に入ってしまう。
【０００３】
そこで、つば付きヘルメットのつばに、つば片を布製ファスナーで付け、つば片にセロファン部を垂らして成る塗装作業用の防塵具が提案されている（例えば、特許文献１）。これによれば、飛散する塵や飛沫から顔面を保護することができ、セロファン部と顔面との距離が開いているので、セロファン部の曇りも防ぐことができる。しかし、上記従来の防塵具は、ヘルメットのつばに布製ファスナーの一方を予め固着しておかなければならないため、別のヘルメットに直ちに装着することはできない。また、ヘルメットのつばと、つばの上面に布製ファスナーで取り付けられたつば片とによって、セロファン部を挟んで支持してあるので、ヘルメットの構造が複雑になり、セロファン部の着脱操作も面倒である。
【０００４】
また、セロファンは軟弱なため、風の強い日や高所で作業を行うと、激しく揺動したり、まくれ上がって視界を遮り、非常に危険な場合がある。これを防ぐために、上記従来の防塵具では、セロファン部の下隅と衣服とを糸で固定するようになっているが、実際の作業中に糸止めを行うのは面倒で現実的でない。さらに、研磨等により木屑、鉄屑、コンクリート片のような硬い砕片が飛散すると、セロファン部に突き刺さって危険であり、確実に顔面を保護できるとは言えない。
【０００５】
【特許文献１】実開平５−４８９６４号公報
【発明の開示】
【発明が解決しようとする課題】
【０００６】
この発明は、粉塵等から確実に顔面を保護し、透光カバーと顔面との距離を広くすることにより、透光カバーが体温で曇るのを防止でき、透光カバーが激しく揺れたりまくれ上がる心配が無く、透光カバーの着脱が容易であって、透光カバーのみの交換で済み、構造が簡単な顔面保護具を提供することを課題とする。
【課題を解決するための手段】
【０００７】
請求項１に記載の顔面保護具は、ヘルメット或いは帽子に挟持することで装着される左右の挟持具と、前記左右の挟持具に着脱自在であって顔面を覆うための透光カバーとからなるものであって、前記左右の挟持具にそれぞれカバー支持体を回動自在に設ける一方、前記透光カバーの両側に前記カバー支持体に対して嵌め外し可能な被嵌入部材を設けたことを特徴とする。
【０００８】
請求項２に記載の顔面保護具は、請求項１に記載のものにおいて、前記透光カバーが、幅方向の両側に対して中央部分が湾曲されてなると共に、前記中央部分の上端に、湾曲方向の内方に張り出した係止片が形成されていることを特徴とするものである。
【発明の効果】
【０００９】
請求項１に記載の構成によれば、左右の挟持具をヘルメット或いは帽子に挟持させることで簡単にヘルメット或いは帽子に挟持具を装着することができるから、別のヘルメットや帽子に直ちに装着することができ、装着も簡単で面倒くささがない。また、左右の挟持具にそれぞれ設けられたカバー支持体に透光カバーの両側に設けられた被嵌入部材を嵌め込むだけで透光カバーを簡単に取り付けることができ、カバー支持体に対して被嵌入部材を嵌め外し可能とした構成であるので、透光カバーが汚損したり破損しても、透光カバーのみを交換するだけでよく、挟持具は続けて使用できるので、経費を節減できる。挟持具に対してカバー支持体が回動自在に設けられているので、作業中に透光カバーが邪魔になったり、熱や湿気が透光カバーの内側にこもった時は、透光カバー６を上方へ回動させて一時的に押し上げればよい。
【００１０】
請求項２に記載の構成によれば、透光カバーが、幅方向の両側に対して中央部分が湾曲されてなると共に、中央部分の上端に、湾曲方向の内方に張り出した係止片が形成されている構成であるので、顔面保護具を着用した状態では、帽子又はヘルメットのつば部の上面と透光カバーの係止片とが当接して隙間を塞ぐため、作業中に塵や埃が顔面に入らないように侵入を防ぐことができる。
【発明を実施するための最良の形態】
【００１１】
図１は、本発明の実施形態に係る顔面保護具のヘルメット又は帽子への装着状態を示す斜視図である。顔面保護具１は、野球帽型のつば（サンシェード）付き帽子或いはヘルメット（この実施形態では単に帽子という）１の左右側部に対してそれぞれ装着される一対の挟持具３，３と、左右の挟持具３，３に対して嵌め外し可能（差し込み引き抜き可能）に吊り下げられる透光カバー４とからなる。
【００１２】
また、図２は、顔面保護具の斜視図である。挟持具３は、ばね（図示せず）を内蔵したクリップ型のものであり、縦横ほぼ２ｃｍ四方のプラスチック製の挟持具本体５の一面（正面）に、長さがほぼ１．５ｃｍのプラスチック製で丸棒状のカバー支持体６が配置され、カバー支持体６の中央が支軸７を介して挟持具本体５に回動自在に軸着されている。なお、カバー支持体６を挟持具本体５に回動自在に設ける構成は図示していないが、例えば、挟持具本体５の一面に円柱状のボス部を突設する一方、カバー支持体６の中央に前記ボス部の外周を通す通孔を設け、前記ボス部にカバー支持体６の通孔を挿通して該ボス部にカバー支持体６を回動自在に支持し、前記ボス部の頂部の孔にビスをねじ込んでカバー支持体６の抜け止めをする。
【００１３】
カバー支持体６は、その一端から中央部に亘って後述する透光カバー４の被嵌入部材８に対する差込部６ａに設定されている。また、カバー支持体６の他端寄りは、前記差込部６ａよりも径大にかつ波状に膨隆されてなるストッパ部６ｂが形成されている。
【００１４】
透光カバー４は、厚み０．３ｍｍ〜０．４ｍｍで、セロファンよりも剛性及び硬度が大きい硬質ポリプロピレン、硬質ポリエチレンシート等の透明或いは色付きで透光性を有するプラスチックシートよりなり、帽子２のつば部２ａ（図１参照）の周縁に沿うように幅方向において中央部が湾曲されている。また、透光カバー４は、上下方向において顔面を覆うことができる１５ｃｍ程度の長さを有する。なお、透光カバー４の下部が着用者の鼻孔や口を確実に覆うように、中央部を側部よりも長くすると良い。
【００１５】
図２に示すように、透光カバー４の上端には、湾曲方向の内方へ張り出す係止片１０が形成されている。該係止片１０は、左右両端から中央部に亘って徐々に張出量が増加するように形成され、最も張出量が大きい中央部分が５ｍｍ程度となっている。また、前記係止片１０は、顔面保護具１を帽子２に装着した状態において、帽子２のつば部２ａの先端部上面に係止される。
【００１６】
また、透光カバー４の両端上部の裏面には、弾力性を有する素材よりなる被嵌入部材８，８が各々設けられている。被嵌入部材８は、湾曲方向の内方に開口した筒状の嵌入部９を有する。各々の被嵌入部材８は、その一端を透光カバー４の両端上部から両側外方に突出した状態で配置されている。
【００１７】
この顔面保護具を着用するには、まず、帽子１のつば部２ａの近傍の左右側部（以下、装着箇所という）に対して、挟持具３，３をそれぞれ装着させる。すなわち、両端の押圧部３ａ同士を各々が互いに接近する方向に押圧して挟持部３ｂ，３ｂ同士を開き、次に帽子２の装着箇所を挟持部３ｂ，３ｂ間に位置させ、挟持部で装着箇所に挟み込んで挟持具を帽子に装着する。次いで、各挟持具３，３のカバー支持体６の差込部６ａ，６ａを透光カバー４の両端の被嵌入部材８，８の嵌入部９，９にそれぞれ嵌入させ、透光カバー４を帽子２に対して吊り下げる。なお、カバー支持体６のストッパ部６ｂ，６ｂに被嵌入部材８，８の端部が当って弾力性のため開口が広がり、被嵌入部材８，８の端部がストッパ部６ｂ，６ｂに嵌まり込んで係止される。帽子２を頭にかぶると、透光カバー４が顔面の前に位置することになる。
【００１８】
左右の挟持具の各カバー支持体６は回動自在であるため、透光カバー４は、帽子２に対して上方へ回動することができるが、図１に示すように、透光カバー４の係止片１０が帽子２のつば部２ａの上面に当たるため、下方への回動は規制される。また、透光カバー４を帽子２に対して上方へ回動すると、帽子２のつば部２ａの先端が透光カバー４の中途に当って上方への回動が規制され、透光カバー４の弾性変形及びつば部との摩擦力によりその回動位置で透光カバー４が係止される（図３参照）。
【００１９】
顔面保護具を着用した状態では、帽子又はヘルメットのつば部２ａの上面と透光カバー４の係止片１０とが当接して隙間が塞がれるので、作業中に塵や埃が顔面に入らないように侵入を防ぐことができる。また、作業中に透光カバー４が邪魔になったり、熱や湿気が透光カバー４の内側にこもった時は、透光カバー４を上方へ回動させて一時的に押し上げればよい。また、透光カバー４が汚損したり破損した場合は、透光カバー４の被嵌入部材８，８を挟持具３，３のカバー支持体６，６から引き抜いて外し、別の透光カバー４の被嵌入部材８，８をカバー支持体６，６に嵌入するだけで、簡単に新しい透光カバー４と交換できる。この顔面保護具１は、クリップ形式の挟持具に回動自在に設けたカバー支持体６と透光カバー４の上部両端に設けた被嵌入部材８，８とにより構成されているため、簡素な構造である。また、ヘルメット或いは布製の帽子（所謂、サンシェード付きのもの）であれば、挟持具３，３を介して直ちに着用することができる。特に、透光カバー４をビニール系プラスチックとした場合は、付着した塗料等をシンナーでふき取ると白濁して見えなくなってしまうため、使い捨てにせざるを得ないが、透光カバー４が汚損したり破損しても、透光カバー４のみを交換するだけでよく、挟持具３，３は続けて使用できるので、経費が節減できる。
【図面の簡単な説明】
【００２０】
【図１】本発明の実施形態に係る顔面保護具のヘルメット又は帽子への装着状態を示す斜視図
【図２】顔面保護具の斜視図
【図３】透光カバーを上方へ回動した状態を示す顔面保護具の斜視図
【符号の説明】
【００２１】
１  顔面保護具
２  帽子
２ａ  つば部
３  挟持具
３ａ  押圧部
３ｂ  挟持部
４  透光カバー
５  挟持具本体
６  カバー支持体
６ａ  差込部
６ｂ  ストッパ部
７  支軸
８  被嵌入部材
９  嵌入部
１０  係止片
【図１】
2005081061.tif 000003
【図２】
2005081061.tif 000004
【図３】
2005081061.tif 000005